(57)【要約】【課題】  従来に比較して高いS/N比で信号を再生する。【解決手段】  記録媒体２に情報を記録する場合、レーザ光を所望の記憶領域１３に照射し、所望の記録領域１３を第２状態に遷移させることにより行う。記録時のレーザ光のパワーPwは、記録領域１３に強い２光子吸収を発生させ、かつ、第１状態から第２状態へのフォトクロミズムを発生させる程度に大きい。記録媒体２から情報を再生する場合は、波長λのレーザ光を記録領域１３に照射し、受光部６で透過光強度を検出することにより行う。第１状態にある記録領域１３へレーザ光を入射すると、レーザ光が２光子吸収されることにより弱い透過光が検出される。第２状態にある記録領域１３にレーザ光を入射すると、レーザ光が２光子吸収されないことにより強い透過光が検出される。【選択図】    図１
2006228359.tif 000002
【特許請求の範囲】
【請求項１】
特定波長の光に対して多光子吸収が支配的となる第１状態と、前記特定波長の光に対する多光子吸収量が前記第１状態よりも小さい第２状態とをとる記録領域を備える記録媒体。
【請求項２】
前記記録領域は、前記特定波長の光を所定強度で照射されると前記第１状態から前記第２状態に遷移する請求項１に記載の記録媒体。
【請求項３】
前記記録領域は、フォトクロミック材料で形成されている請求項１または請求項２に記載の記録媒体。
【請求項４】
前記第２状態は、空孔で形成される請求項１から請求項３のいずれかに記載の記録媒体。
【請求項５】
前記記録領域は、再生時に照射する光のスポット径よりも小さく形成され、前記特定波長の光に対する多光子吸収量が小さい媒質で周囲を囲まれている請求項１から請求項４のいずれかに記載の記録媒体。
【請求項６】
前記記録領域を含む記録層と、前記記録領域よりも多光子吸収量の小さい非記録層とを積層した請求項１から請求項４のいずれかに記載の記録媒体。
【請求項７】
前記記録層の厚さは、記録時の光がスポット付近で第２状態を形成することができる厚さよりも薄い請求項６に記載の記録媒体。
【請求項８】
前記記録層の屈折率と前記非記録層の屈折率との差が小さい請求項６に記載の記録媒体。
【請求項９】
ランド形状のトラックを備える請求項６から請求項８のいずれかに記載の記録媒体。
【請求項１０】
グルーブ形状のトラックを備える請求項６から請求項８のいずれかに記載の記録媒体。
【請求項１１】
前記記録媒体は、前記記録層に対して光を照射する方向と反対側に反射層を備える
請求項６から請求項１０のいずれかに記載の記録媒体。
【請求項１２】
前記反射層は、トラック状に形成されている請求項１１に記載の記録媒体。
【請求項１３】
請求項１から請求項１２のいずれかに記載の記録媒体と、
前記記録媒体に前記特定波長のレーザ光を照射するレーザ光源とを備え、
集光位置を制御しながら前記記録媒体に前記レーザ光を照射することにより前記記録領域を前記第１状態から前記第２状態に遷移させて情報を記録することを特徴とする情報記録再生装置。
【請求項１４】
請求項１から請求項１２のいずれかに記載の記録媒体と、
前記記録媒体に前記特定波長のレーザ光を照射するレーザ光源と、
前記記録媒体から放出される光を受光する受光手段とを備え、
集光位置を制御しながら記録時よりも弱い強度で前記記録媒体に前記レーザ光を照射し、受光された光の強度により前記第１状態と前記第２状態とを識別して前記記録媒体に記録された情報を再生することを特徴とする情報記録再生装置。
【請求項１５】
請求項１から請求項１２のいずれかに記載の記録媒体の前記記録領域に前記特定波長のレーザ光を照射することにより、前記記録領域を前記第１状態から前記第２状態に遷移させて情報を記録することを特徴とする情報記録再生方法。
【請求項１６】
請求項１から請求項１２のいずれかに記載の記録媒体の前記記録領域に前記特定波長のレーザ光を記録時よりも弱い強度で照射し、
照射した光の前記特定波長における吸収量を検出し、
前記吸収量の相違により前記第１状態と前記第２状態とを識別しながら前記記録媒体に記録された情報を再生することを特徴とする情報記録再生方法。
【発明の詳細な説明】
【技術分野】
【０００１】
この発明は、光を用いて情報を記録する記録媒体、該記録媒体に情報を記録する情報記録再生装置及び情報記録再生方法に関する。
【背景技術】
【０００２】
光を用いて情報を記録する記録媒体には、CD、DVD、MOなど種々の形態が知られている。近年、映像などのより大量の情報をより小さな領域に記憶させることが要求されており、これら記録媒体において２次元的に記録領域を高密度化したり、３次元に記録領域を広げるこころみがなされている。しかしながら、従来のCDやDVDなどのようにピットを形成して情報を記録する方式では、その高密度化に限界が生じているため、あらたな方式が求められている。
【０００３】
特許文献１には、光記録ディスクの記録材料として、電磁波の照射により電荷を空間的に分離させて、これにより生じる電荷の分布による電場によって屈折率が変化するフォトリフラクティブ材料を用い、屈折率の変化として光記録ディスクに情報を記録する方法が提案されている。
【０００４】
特許文献１では、記録材料の屈折率の変化により再生光を変調して情報を再生するため、屈折率差が大きくても0.1以下で0.01のオーダーであることが原因で、再生時の透過率及び反射率の変化量が小さくなり、再生光の変調度を大きくとることができない。
【０００５】
【特許文献１】特開２０００−２２８０１４号公報
【発明の開示】
【発明が解決しようとする課題】
【０００６】
本発明は、従来技術に比べて再生光の変調度を大きく取れる記録媒体、情報記録再生装置及び情報記録再生方法を提供することを目的とする。
【課題を解決するための手段】
【０００７】
この発明の第１の記録媒体は、特定波長の光に対して多光子吸収が支配的となる第１状態と、特定波長の光に対する多光子吸収量が第１状態よりも小さい第２状態とをとる記録領域を備える。
【０００８】
この発明の第２の記録媒体は第１の記録媒体において、記録領域が特定波長の光を所定強度で照射されると第１状態から第２状態に遷移するようにするとよい。この発明の第３の記録媒体は第１または第２の記録媒体において、記録領域がフォトクロミック材料で形成されているようにするとよい。この発明の第４の記録媒体は第１から第３のいずれかの記録媒体において、第２状態が空孔で形成されるようにするとよい。この発明の第５の記録媒体は第１から第４のいずれかの記録媒体において、記録領域が再生時に照射する光のスポット径よりも小さく形成され、特定波長の光に対する多光子吸収量が小さい媒質で周囲を囲まれているようにするとよい。
【０００９】
この発明の第６の記録媒体は第１から第４の記録媒体において、記録領域を含む記録層と、記録領域よりも多光子吸収量の小さい非記録層とを積層されているようにするとよい。この発明の第７の記録媒体は第６の記録媒体において、記録層の厚さを、記録時の光がスポット付近で第２状態を形成することができる厚さよりも薄くなるようにするとよい。この発明の第８の記録媒体は第６の記録媒体において、記録層の屈折率と非記録層の屈折率との差を小さくするとよい。
【００１０】
この発明の第９の記録媒体は第６から第８のいずれかの記録媒体において、ランド形状のトラックを備えるようにするとよい。この発明の第１０の記録媒体は第６から第８のいずれかの記録媒体において、グルーブ形状のトラックを備えるようにするとよい。この発明の第１１の記録媒体は第６から第１０のいずれかの記録媒体において、記録媒体が記録層に対して光を照射する方向と反対側に反射層を備えるようにするとよい。この発明の第１２の記録媒体は第１１の記録媒体において、反射層がトラック状に形成されているようにするとよい。
【００１１】
この発明の第１の情報記録再生装置は、上記いずれかの記録媒体と、記録媒体に特定波長のレーザ光を照射するレーザ光源とを備え、集光位置を制御しながら記録媒体にレーザ光を照射することにより記録領域を第１状態から第２状態に遷移させて情報を記録する。
【００１２】
この発明の第２の情報記録再生装置は、請求項１から請求項１２のいずれかに記載の記録媒体と、記録媒体に特定波長のレーザ光を照射するレーザ光源と、記録媒体から放出される光を受光する受光手段とを備え、集光位置を制御しながら記録時よりも弱い強度で記録媒体にレーザ光を照射し、受光された光の強度により第１状態と第２状態とを識別して記録媒体に記録された情報を再生する。
【００１３】
この発明の第１の情報記録再生方法は、上記いずれかに記載の記録媒体の記録領域に特定波長のレーザ光を照射することにより、記録領域を第１状態から第２状態に遷移させて情報を記録する。
【００１４】
この発明の第２の情報記録再生方法は、上記いずれかに記載の記録媒体の記録領域に特定波長のレーザ光を記録時よりも弱い強度で照射し、照射した光の特定波長における吸収量を検出し、吸収量の相違により第１状態と第２状態とを識別しながら記録媒体に記録された情報を再生する。
【発明の効果】
【００１５】
この発明の記録媒体、情報記録再生装置及び情報記録再生方法によれば、異なる状態にある記憶領域における、多光子吸収による吸収量の相違を検出することにより情報を再生することができるため、従来に比較して高いS/N比で信号を再生することができる。
【発明を実施するための最良の形態】
【００１６】
第１の実施形態の情報記録再生装置１は、図１の構成図に示すように、記録媒体２とスピンドルモータ３と粗移動機構４とヘッド５と受光部６と信号処理部７と駆動制御部８とコントローラ９とインターフェース１０とを備え、ホストコンピュータ１１に接続されている。
【００１７】
記録媒体２は、図２(a)の斜視図及び図２(b)のa1-a2断面図に示すように、円盤状の光ディスクの基材１２中に、記録領域１３を３次元に規則的に分散させた構造を有する。記録領域１３は、波長λの高出力のレーザ光１４を照射されると波長2λに相当する２光子吸収を起こす非線形材料であって、かつ、図３のグラフに示すように、吸収スペクトルの異なる第１状態と第２状態との間を遷移することができる材料で形成される。記録領域１３が第１状態にある場合、波長λにおける１光子吸収は小さい一方、２倍の波長2λにおける吸収は比較的大きい。記録領域１３が第２状態にある場合、波長λ及び波長2λのいずれにおいても吸収が小さい。第１状態にある記録領域１３に波長λのレーザ光を高出力で照射すると、２光子吸収を生じて第２状態に遷移する。記録領域１３を構成する材料として、フルギド、ジアリールエテン系材料などのフォトクロミック材料や、フォトクロミック材料をPMMAなどの材料中に分散したものなどを用いることができる。なお、記録媒体２は、円盤状に限られず、板状、直方体状その他種々の形状をもつものであってもよい。
【００１８】
スピンドルモータ３は、記録媒体２を回転駆動させる。粗移動機構４は、ヘッド５を記録媒体２の半径方向に移動させる。ヘッド５は、レーザ光源から出射される波長λのレーザ光を、アクチュエータで微少移動される対物レンズによりビームウェストを移動させながら記録媒体２に集光させる。受光部６は、記録媒体２を透過した光を光電変換素子で電気信号に変換して出力する。信号処理部７は、受光部６から出力される電気信号に基づいてヘッド５の位置の誤差信号と記録媒体２からの読取信号とを作成し、誤差信号を駆動制御部８に送り、読取信号をインターフェース１０を介してホストコンピュータ１１に送る。駆動制御部８は、誤差信号に基づいて微調整を行いながら、スピンドルモータ３と粗移動機構４とヘッド５とを制御することにより記録媒体２の所望の位置に、所望の強度でレーザ光を集光させる。コントローラ９は、インターフェース１０を介して接続されたホストコンピュータ１１からの指令にしたがって、信号処理部７及び駆動制御部８を制御することにより情報記録再生装置１全体の動作を制御する。
【００１９】
記録媒体２に情報を記録する場合、初期状態ですべての記録領域１３を第１状態に形成しておき、レーザ光を所望の記憶領域１３に照射し、所望の記録領域１３を第２状態に遷移させることにより行う。記録時のレーザ光のパワーPwは、記録領域１３に強い２光子吸収を発生させ、かつ、第１状態から第２状態へのフォトクロミズムを発生させる程度に大きい。
【００２０】
記録媒体２から情報を再生する場合は、波長λのレーザ光を記録領域１３に照射し、受光部６で透過光強度を検出することにより行う。第１状態にある記録領域１３へレーザ光を入射すると、レーザ光が２光子吸収されることにより弱い透過光が検出される。第２状態にある記録領域１３にレーザ光を入射すると、レーザ光が２光子吸収されないことにより強い透過光が検出される。再生時のレーザ光のパワーPrは、記録領域１３に２光子吸収を生じさせる程度に大きく、かつ、記録領域１３の変質を防ぐ程度に記録時のパワーPwよりも小さい。例えば、再生時のパワーPrを記録時のパワーPwの1/3〜1/4以下とすると、２光子吸収を生じさせることができ、かつ、再生時に記録領域１３に吸収されるパワーを記録時の1/9〜1/16程度に抑えて変質を防ぐことができる。
【００２１】
なお、記録領域１３は、２光子吸収に限らず多光子吸収により状態を遷移する材料であってもよい。より多くの光子を吸収する多光子吸収を用いることにより、記録時及び再生時において記録領域１３に吸収されるパワーの差をより大きくすることができる。情報記録再生装置１は、反射光を検出することにより情報を再生するものであってもよい。
【００２２】
第１の実施形態の情報記録再生装置１によれば、記録領域１３の状態を照射する波長λに対する２光子吸収量の差により検出するため、屈折率変化などを使用する場合に比較すると状態間での反射光や透過光の光量差を大きくして、再生時のS/N比を向上させることができる。
【００２３】
第２の実施形態の情報記録再生装置１５は、図２の構成図に示すように、記録媒体１６とスピンドルモータ１７と粗移動機構１８とヘッド１９と受光部２０と信号処理部２１と駆動制御部２２とコントローラ２３とインターフェース２４とを備え、ホストコンピュータ２５に接続されている。
【００２４】
記録媒体１６は、図５(a)の平面図及び図５(b)のb1-b2断面図に示すように、円盤状の光ディスクの基材２６中に、記録領域２７を３次元に規則的に分散させた構造を有する。記録領域２７は第１状態と第２状態とを遷移し、第１状態においては図６のグラフに示すように、波長λにおける吸収が弱い一方、波長λの高出力の光を照射されると波長2λに相当する２光子吸収を起こす非線形材料で充填されており、第２状態においては空孔２８を形成している。記録領域２７を充填する材料として、有機材料で特定の波長に吸収をもつローダミンBなどの各種色素、これらの色素をPMMAやPCなどの有機材料に分散したもの、SiO2、Al2O3その他種々の無機材料の結晶、種々のガラス材料中に金属イオンを分散させたものなどを用いることができる。
【００２５】
スピンドルモータ１７は、記録媒体１６を回転駆動させる。粗移動機構１８は、ヘッド１９を記録媒体１６の半径方向に移動させる。ヘッド１９は、レーザ光源から出射される波長λのレーザ光を、アクチュエータで微少移動される対物レンズによりビームウェストを移動させながら記録媒体１６に集光させる。受光部２０は、記録媒体１６で反射されてヘッドのスプリッタで分離された光を受光し、光電変換素子で電気信号に変換して出力する。信号処理部２１は、受光部２０から出力される電気信号に基づいてヘッド１９の位置の誤差信号と記録媒体１６からの読取信号とを作成し、誤差信号を駆動制御部２２に送り、読取信号をインターフェース２４を介してホストコンピュータ２５に送る。駆動制御部２２は、誤差信号に基づいて微調整を行いながら、スピンドルモータ１７と粗移動機構１８とヘッド１９とを制御することにより記録媒体１６の所望の位置に、所望の強度でレーザ光を集光させる。コントローラ２３は、インターフェース２４を介して接続されたホストコンピュータ２５からの指令にしたがって、信号処理部２１及び駆動制御部２２を制御することにより情報記録再生装置１５全体の動作を制御する。
【００２６】
記録媒体１６に情報を記録する場合、初期状態ですべての記録領域２７を第１状態に形成しておき、高出力のレーザ光２９を所望の記録領域２７に照射し、２光子吸収による吸熱の作用により非線形材料を蒸発させ、空孔２８を形成することにより行う。なお、情報記録再生装置１５は、酸化等により記録領域２７の多光子吸収率を低下させることにより、記録媒体１６に情報を記録するものであってもよい。
【００２７】
記録媒体１６から情報を再生する場合は、波長λのレーザ光を記録領域２７に照射し、受光部２０で反射光強度を検出することにより行う。充填された第１状態にある記録領域２７へレーザ光を入射すると、レーザ光が２光子吸収されることにより弱い反射光が検出される。空孔を形成されて第２状態にある記録領域２７にレーザ光を入射すると、レーザ光は２光子吸収されないため強い反射光が検出される。さらに、第２状態の空孔と周囲の基材２６との屈折率差が大きいことにより強い反射光が検出させる。再生時のレーザ光のパワーPrは、記録領域２７に２光子吸収を生じさせる程度に大きく、かつ、記録領域２７の変質を防ぐ程度に記録時のパワーPwよりも小さい。
【００２８】
第２の実施形態の情報記録再生装置２によれば、記録領域２７の状態を照射する波長λに対する２光子吸収の有無により検出するため、屈折率変化などを使用する場合に比較すると２状態間の反射光や透過光の光量差を大きくして、再生時のS/N比を向上させることができるともに、空孔を形成した記録領域２７と基材２６との屈折率差が大きいことから、再生時のS/N比をさらに向上させることができる。
【００２９】
なお、記録領域２７は、２光子吸収に限らず多光子吸収により状態を遷移する材料であってもよい。より多くの光子を吸収する多光子吸収を用いることにより、記録時及び再生時において記録領域２７に吸収されるパワーの差をより大きくすることができる。
【００３０】
第３の実施形態の情報記録再生装置は、第１の実施形態の情報記録再生装置１と同様の記録媒体１６とスピンドルモータ１７と粗移動機構１８とヘッド１９と受光部２０と信号処理部２１と駆動制御部２２とコントローラ２３とインターフェース２４とを備え、第１の実施形態の記録媒体１６と異なる記録媒体３０を備える。
【００３１】
記録媒体３０は、図７(a)の平面図及び図７(b)のc1-c2断面図に示すように、厚さ方向に記録層３１と非記録層３２とを交互に積層した円盤状の光ディスクとして形成されている。記録層３１は、所定の間隔で記録領域３３を２次元的に分散させた構造を有し、各層の記録領域３３を重ねて形成されている。記録領域３３は、第１の実施形態の記録領域１３と同様の材料で形成されている。非記録層３２は、波長2λに相当する２光子吸収の小さい非線形材料で形成されている。
【００３２】
記録媒体３０は、例えば、記録層３１と非記録層３２との２種のフィルム状材料を圧着して形成したり、２種類の材料を塗布して形成したり、スパッタリングや蒸着その他の方法で重ね合わせて形成される。記録層３１と非記録層３２との屈折率差は小さく形成されている。
【００３３】
図８(a)の記録領域３３の厚さ方向の模式的な拡大図に示すように、仮に十分厚く形成された記録層３１にレーザ光３４を集光した場合にスポット付近の厚さd1の領域３５に第２状態が形成される場合、図８(b)に示すように実際の記録層３１の厚さd2をd1よりも薄く形成することが好ましい。記録層３１の厚さd2をd1よりも薄く形成することにより、状態変化に無関係な領域を減らして、記録媒体３０の厚さ方向の記録密度を高めることができる。
【００３４】
記録媒体３０に対する情報の記録再生方法は第１の実施形態と同様である。なお、記録領域３３は、２光子吸収に限らず多光子吸収により状態を遷移する材料であってもよい。より多くの光子を吸収する多光子吸収を用いることにより、記録時及び再生時において記録領域３３に吸収されるパワーの差をより大きくすることができる。なお、第３の実施形態の情報記録再生装置は、反射光を検出することにより情報を再生するものであってもよい。第３の実施形態の情報記録再生装置は、第２の実施形態と同様に、空孔を形成するものであってもよい。
【００３５】
第３の実施形態の情報記録再生装置によれば、記録領域３３の状態を照射する波長λに対する２光子吸収量の差により検出するため、屈折率変化などを使用する場合に比較すると２状態間の反射光や透過光の光量差を大きくして、再生時のS/N比を向上させることができるとともに、記録層３１付近に２光子吸収の小さな材料を配置することにより、記録領域３３における２光子吸収のみを高いS/N比で検出することができる。
【００３６】
さらに、記録層３１と非記録層３２との屈折率差を小さくすることにより、層間における反射を小さく抑えることができ、特に再生時には迷光を減少させて高いS/N比で反射光や透過光を検出することができる。
【００３７】
第４の実施形態の情報記録再生装置は、第１の実施形態の情報記録再生装置１と同様の記録媒体１６とスピンドルモータ１７と粗移動機構１８とヘッド１９と受光部２０と信号処理部２１と駆動制御部２２とコントローラ２３とインターフェース２４とを備え、第１の実施形態の記録媒体１６と異なる記録媒体４０を備える。
【００３８】
記録媒体４０は、図９(a)の平面図及び図９(b)のe1-e2断面図に示すように、円盤状の光ディスクの基材４１中に、記録領域４２を３次元に規則的に分散させた構造を有する。記録領域４２の大きさは、記録再生時に集光されるレーザ光４３のビームスポット径よりも小さく形成されている。記録領域４２は、第１の実施形態の記録領域１３と同様の材料で形成されている。
【００３９】
記録媒体４０は、基材４１の中に記録領域４２の粒子を分散させて形成する方法、基材４１から記録領域４２を相分離させて形成する方法、基材４１と記録領域４２とを層状に形成しながらエッチングなどによりパターニングする方法などにより作成される。
【００４０】
記録媒体４０に対する情報の記録再生方法は第１の実施形態と同様である。なお、記録領域４２は、２光子吸収に限らず多光子吸収により状態を遷移する材料であってもよい。より多くの光子を吸収する多光子吸収を用いることにより、記録時及び再生時において記録領域４２に吸収されるパワーの差をより大きくすることができる。なお、第４の実施形態の情報記録再生装置は、反射光を検出することにより情報を再生するものであってもよい。第４の実施形態の情報記録再生装置は、第２の実施形態と同様に、空孔を形成するものであってもよい。
【００４１】
第４の実施形態の情報記録再生装置によれば、記録領域４２の状態を照射する波長λに対する２光子吸収量の差により検出するため、屈折率変化などを使用する場合に比較すると２状態間の反射光や透過光の光量差を大きくして、再生時のS/N比を向上させることができるとともに、記録領域４２を小さくして記録密度を上げることができる。
【００４２】
第５の実施形態の情報記録再生装置は、第３の実施形態の情報記録再生装置において、記録媒体３０の記録層３１に図１０の斜視断面図に示すようなランド形状またはグルーブ形状のトラック５０を設けている。トラック５０のランドまたはグルーブに沿って記録領域３３の状態を変化させて記録することにより、記録領域３３にもランドまたはグルーブが形成されるため、プッシュプル法などによりトラッキングサーボを行うことができ、より安定に信号の記録及び再生を行うことができる。
【００４３】
第６の実施形態の情報記録再生装置は、第３の実施形態の情報記録再生装置において、記録媒体３０の記録層３１に重ねて図１１の斜視断面図に示すような、トラック状のこう屈折率の反射層６０を備えている。反射層６０を設けることにより、反射光が増加し、信号検出時における戻り光の強度を増加させ、S/N比を向上させることができるとともに、反射光量を制御してフォーカスサーボを容易に行うことができる。
【図面の簡単な説明】
【００４４】
【図１】第１の実施形態の情報記録再生装置の構成図である。
【図２】第１の実施形態の記録媒体の斜視図及び断面図である。
【図３】第１の実施形態の記録領域の吸収スペクトルである。
【図４】第２の実施形態の情報記録再生装置の構成図である。
【図５】第２の実施形態の記録媒体の斜視図及び断面図である。
【図６】第２の実施形態の記録領域の吸収スペクトルである。
【図７】第３の実施形態の記録媒体の斜視図及び断面図である。
【図８】第３の実施形態の記録領域の断面拡大図である。
【図９】第４の実施形態の記録媒体の斜視図及び断面図である。
【図１０】第５の実施形態の記録媒体の記録層の斜視断面図である。
【図１１】第６の実施形態の記録媒体の記録層及び反射層の斜視断面図である。
【符号の説明】
【００４５】
１；情報記録再生装置、２；記録媒体、３；スピンドルモータ、４；粗移動機構、
５；ヘッド、６；受光部、７；信号処理部、８；駆動制御部、９；コントローラ、
１０；インターフェース、１１；ホストコンピュータ、１２；基材、１３；記録領域、
１４；レーザ光、１５；情報記録再生装置、１６；記録媒体、１７；スピンドルモータ、
１８；粗移動機構、１９；ヘッド、２０；受光部、２１；信号処理部、
２２；駆動制御部、２３；コントローラ、２４；インターフェース、
２５；ホストコンピュータ、２６；基材、２７；記録領域、２８；空孔、
２９；レーザ光、３０；記録媒体、３１；記録層、３２；非記録層、３３；記録領域、
３４；レーザ光、３５；領域、４０；記録媒体、４１；基材、４２；記録領域、
４３；レーザ光、５０；トラック、６０；反射層。
【図１】
2006228359.tif 000003
【図２】
2006228359.tif 000004
【図３】
2006228359.tif 000005
【図４】
2006228359.tif 000006
【図５】
2006228359.tif 000007
【図６】
2006228359.tif 000008
【図７】
2006228359.tif 000009
【図８】
2006228359.tif 000010
【図９】
2006228359.tif 000011
【図１０】
2006228359.tif 000012
【図１１】
2006228359.tif 000013